(57)【特許請求の範囲】
【請求項１】
梁材と柱材とによって形成される骨組構造体を複数、備えた建物の補強構造であって、
前記骨組構造体の上縁は、第１方向に向けて略平行に配置される一対の第１天井梁と、前記第１方向に略直交する第２方向に向けて略平行に配置される一対の第２天井梁とによって形成されるとともに、前記第１天井梁間には、前記第２方向に向けた天井根太が前記第１方向に間隔を置いて複数、差し渡されており、
前記骨組構造体の下縁は、前記第１方向に向けて略平行に配置される一対の第１床梁と、前記第２方向に向けて略平行に配置される一対の第２床梁とによって形成されるとともに、前記第１床梁間には、前記第２方向に向けた床小梁が前記第１方向に間隔を置いて複数、差し渡されており、
少なくとも一つの前記骨組構造体の天井部の一部を切断して第１開口部を形成した際に、前記第１開口部又はその周辺に補強天井根太を設け、
少なくとも一つの前記骨組構造体の床部の一部を切断して第２開口部を形成した際に、前記第２開口部又はその周辺に位置する前記床小梁に対して、前記第１方向に向けた床補強小梁を、前記床小梁と前記第２床梁との間又は前記床小梁間に差し渡し、前記床補強小梁の両端をそれぞれ側方から挿入される締結部材によって固定させる構造であって、
前記床補強小梁は、少なくとも１本の床小梁を下方から支持するとともに、それとは別の前記床小梁と前記第２床梁との間に差し渡されることを特徴とする建物の補強構造。
【請求項２】
前記第１開口部と前記第２開口部は、鉛直方向に投影した際に重なる位置に形成されていることを特徴とする請求項１に記載の建物の補強構造。
【請求項３】
前記補強天井根太は、前記第１開口部又はその周辺の下面の位置を既存の天井根太の下面の位置より上方に上げる上げ越し処理が施されていることを特徴とする請求項１又は２に記載の建物の補強構造。
【請求項４】
前記床補強小梁の端部には、軸直交方向に張り出された張出部を有する取付部が設けられており、前記張出部に装着される締結部材によって前記第２床梁又は前記床小梁と前記床補強小梁とが連結されることを特徴とする請求項１乃至３のいずれか一項に記載の建物の補強構造。
【請求項５】
前記第１開口部若しくは前記第２開口部又はそれらの周辺に位置する前記第１天井梁、前記第２天井梁、前記第１床梁又は前記第２床梁の少なくとも一つは、天井内部側又は床内部側が開放されるように凹部が向けられた溝形鋼又はリップ付き溝形鋼によって形成されており、その凹部の開放側に前記第１天井梁、前記第２天井梁、前記第１床梁又は前記第２床梁に沿って補強梁が配置され、
前記凹部を形成するウエブと前記補強梁とが、前記補強梁を取り付けるための固定片が形成された曲げ板状の連結部材と締結部材とによって連結されることを特徴とする請求項１乃至４のいずれか一項に記載の建物の補強構造。
【請求項６】
前記補強梁は、前記凹部の開放側に、凹部の開放側を向かい合わせにした溝形鋼又はリップ付き溝形鋼であることを特徴とする請求項５に記載の建物の補強構造。
【発明の詳細な説明】
【技術分野】
【０００１】
本発明は、梁材と柱材とによって骨組構造体が形成される建物に、鉛直方向に開放される開口部を設ける際の建物の補強構造に関するものである。
【背景技術】
【０００２】
従来、建物としてのユニット建物に吹き抜け空間等の開口部を形成するために、開口部の周辺に位置する床梁や天井梁に、補強部材（スチフナー）を溶接接合又はボルト接合するユニット建物の補強構造が知られている（例えば、特許文献１，２等を参照）。
【０００３】
この特許文献１，２に開示された開口部の補強は、ユニット建物を新築する際におこなわれるものであって、工場において建物ユニットを組み立てる工程の中でおこなわれるため、溶接による接合が可能であるうえに、ボルト接合の場合も取付箇所の制約をほとんど受けることがなく、任意の箇所でおこなうことができる。
【０００４】
他方、改装時に既存のユニット建物の床や天井を開口して収納庫を設けたり、下階から上階にわたる吹き抜け空間を設けたり、エレベータを設置したりする場合があるが、開口部を設けるために天井根太や床小梁や床根太が切断されたり切り欠かれたりすると、既存のユニット建物に比べて強度が低下することになるので、開口部又はその周辺を補強する必要がある。
【先行技術文献】
【特許文献】
【０００５】
【特許文献１】特開２００８−２９１４８９号公報
【特許文献２】特開２００２−５４２３７号公報
【発明の概要】
【発明が解決しようとする課題】
【０００６】
しかしながら、特許文献１，２に開示されているような溶接接合を使った補強は、既存の建物の中で火器を使用することになるため、火災の危険を考えると実施しにくい。
【０００７】
また、補強部材を梁のフランジにボルト接合で接合しようとすると、上下階で重なり合う梁などが邪魔となり、ボルト孔の穿孔やドリルねじの螺入ができない箇所があるため、新築時と同じように補強することができない。
【０００８】
そこで、本発明は、改装時に開口部を設けるときでも容易に実施することが可能な建物の補強構造を提供することを目的としている。
【課題を解決するための手段】
【０００９】
前記目的を達成するために、本発明の建物の補強構造は、梁材と柱材とによって形成される骨組構造体を複数、備えた建物の補強構造であって、前記骨組構造体の上縁は、第１方向に向けて略平行に配置される一対の第１天井梁と、前記第１方向に略直交する第２方向に向けて略平行に配置される一対の第２天井梁とによって形成されるとともに、前記第１天井梁間には、前記第２方向に向けた天井根太が前記第１方向に間隔を置いて複数、差し渡されており、前記骨組構造体の下縁は、前記第１方向に向けて略平行に配置される一対の第１床梁と、前記第２方向に向けて略平行に配置される一対の第２床梁とによって形成されるとともに、前記第１床梁間には、前記第２方向に向けた床小梁が前記第１方向に間隔を置いて複数、差し渡されており、少なくとも一つの前記骨組構造体の天井部の一部を切断して第１開口部を形成した際に、前記第１開口部又はその周辺に補強天井根太を設け、少なくとも一つの前記骨組構造体の床部の一部を切断して第２開口部を形成した際に、前記第２開口部又はその周辺に位置する前記床小梁に対して、前記第１方向に向けた床補強小梁を、前記床小梁と前記第２床梁との間又は前記床小梁間に差し渡し、前記床補強小梁の両端をそれぞれ側方から挿入される締結部材によって固定させることを特徴とする。
【００１０】
ここで、前記第１開口部と前記第２開口部は、鉛直方向に投影した際に重なる位置に形成されていてもよい。また、前記補強天井根太は、前記第１開口部又はその周辺の下面の位置を既存の天井根太の下面の位置より上方に上げる上げ越し処理が施されている構成とすることができる。
【００１１】
さらに、前記床補強小梁の端部には、軸直交方向に張り出された張出部を有する取付部が設けられており、前記張出部に装着される締結部材によって前記第２床梁又は前記床小梁と前記床補強小梁とが連結される構成とすることができる。
【００１２】
また、前記床補強小梁は、少なくとも１本の床小梁を下方から支持するとともに、それとは別の前記床小梁と前記第２床梁との間に差し渡される構成であってもよい。
【００１３】
また、前記第１開口部若しくは前記第２開口部又はそれらの周辺に位置する前記第１天井梁、前記第２天井梁、前記第１床梁又は前記第２床梁の少なくとも一つは、天井内部側又は床内部側が開放されるように凹部が向けられた溝形鋼又はリップ付き溝形鋼によって形成されており、その凹部の開放側に前記第１天井梁、前記第２天井梁、前記第１床梁又は前記第２床梁に沿って補強梁が配置され、前記凹部を形成するウエブと前記補強梁とが、前記補強梁を取り付けるための固定片が形成された曲げ板状の連結部材と締結部材とによって連結される構成とすることができる。さらに、前記補強梁は、前記凹部の開放側に、凹部の開放側を向かい合わせにした溝形鋼又はリップ付き溝形鋼であってもよい。
【発明の効果】
【００１４】
このように構成された本発明の建物の補強構造は、第１開口部又はその周辺に補強天井根太を設ける。また、第２開口部又はその周辺に位置する床小梁を、床小梁と第２床梁との間又は床小梁間に差し渡された床補強小梁によって補強する。さらに、床小梁と第２床梁との間に床補強小梁を介在させることで、第２床梁の横補剛剛性も向上する。そして、床補強小梁の両端は、それぞれ側方から挿入される締結部材によって固定される。
【００１５】
このため、既存の建物に床部と天井部とを貫通させる開口部を設ける際にも、補強天井根太を設けて補強することによって天井梁に必要な横補剛剛性を充分に確保することができるうえに、開口部から床補強小梁の固定をおこなうことができるので、容易に建物を補強することができる。
【００１６】
また、床部と天井部に投影位置が重なって貫通する開口部を設けることができれば、エレベータの設置や吹き抜け空間の構築を容易におこなうことができる。
【００１７】
さらに、第２開口部又はその周辺の第２床梁や床小梁に対して床補強小梁による支持点を加えることで、床根太や床小梁の切断による支持点の減少を補うことができるうえに、新たに鉛直荷重が追加される場合であっても、充分に耐力を確保することができる。
【００１８】
また、第２開口部を形成する際に床小梁や床根太などの横補剛効果部材が取り除かれても、床補強小梁を差し渡すことによって水平方向の剛性を充分に確保することができる。
【００１９】
さらに、第１開口部又はその周辺に位置する補強天井根太の下面を既存の天井根太の下面の位置より上方に上げる上げ越し処理を施すことによって、開口部に新たに配置するエレベータの資機材や部材などと干渉する天井根太の一部を取り除くことができ、目的に合った開口部を構築することができる。
【００２０】
また、床補強小梁の端部に軸直交方向に張り出された張出部を設けることで、容易に締結部材の装着箇所を確保することができる。ここで、床補強小梁によって床小梁を下方から支持させる構成にすることで、第２開口部周辺の床のたわみや床鳴りなどの発生を抑えることができる。特に、第２開口部を形成する際に床小梁が切断された場合は、床小梁の一端と第１床梁との連結が解除されて床小梁がたわみ易くなるが、床補強小梁によって切断された床小梁の端部を下方から支持させることで、第２開口部周辺の強度の低下を防ぐことができる。
【００２１】
また、第１開口部若しくは第２開口部又はそれらの周辺に位置する天井梁又は床梁の長手方向に沿って補強梁を配置し、天井梁又は床梁のウエブと補強梁とを固定片が形成された曲げ板状の連結部材と締結部材とによって連結させることで、さらに開口部を補強することができる。
【００２２】
さらに、このような構成であれば、改装時に天井梁や床梁への補強梁の取り付けを開口部から容易におこなうことができる。また、補強梁を天井梁や床梁に沿って配置することで、天井梁や床梁の強軸方向の許容曲げ応力度を低下させることなく、弱軸方向の強度を高めることができる。すなわち、補強梁の配置によって天井梁や床梁の横補剛剛性が高められるので、建物の耐力を落とすことなく吹き抜け空間を設けることができる。
【００２３】
また、補強梁を、天井梁又は床梁の凹部の開放側に凹部の開放側を向かい合わせにした溝形鋼又はリップ付き溝形鋼によって形成した場合は、既存の建物に下階から上階にわたる吹き抜け空間を設けるなどの改装時において、補強梁にフランジを設けた分、板状の補強梁を使用した場合に比べて水平方向の剛性を高めることができる。さらに、補強梁のフランジが天井梁側又は床梁側を向いているので、開口部への突出量を最小限に抑えることができ、内壁材などを取り付ける際にも邪魔になることがない。
【図面の簡単な説明】
【００２４】
【図１】本発明の実施の形態のユニット建物の補強構造の構成を説明する斜視図である。
【図２】建物ユニットの構成を説明する斜視図である。
【図３】実施例１の天井部の補強構造の構成を説明する断面図である。
【図４】天井根太の構成を説明する断面図である。
【図５】実施例１の天井部の補強構造の構成を説明する斜視図である。
【図６】実施例１の別の天井部の補強構造の構成を説明する断面図である。
【図７】図６のＡ−Ａ矢視方向で見た断面図である。
【図８】実施例２の床部の補強構造の構成を説明する斜視図である。
【図９】実施例２の床部の補強構造の構成を説明する断面図である。
【図１０】（ａ）は図９のＢ−Ｂ矢視方向で見た断面図、（ｂ）は図９のＣ−Ｃ矢視方向で見た断面図、（ｃ）は図９のＤ−Ｄ矢視方向で見た断面図である。
【図１１】実施例２の別の床部の補強構造の構成を説明する斜視図である。
【図１２】図１１で示した床部の補強構造の構成を説明する断面図である。
【図１３】（ａ）は図１２のＥ−Ｅ矢視方向で見た断面図、（ｂ）は図１２のＦ−Ｆ矢視方向で見た断面図である。
【図１４】実施例３のユニット建物の補強構造の構成を説明する斜視図である。
【図１５】実施例３のユニット建物の補強構造の構成を説明する平面図である。
【図１６】実施例３の床梁と補強梁の取付構造を説明する断面図である。
【図１７】図１６のＧ−Ｇ矢視方向で見た断面図である。
【図１８】実施例３の天井梁と補強梁の取付構造を説明する断面図である。
【図１９】実施例３の天井梁と補強梁の取付構造を説明する正面図である。
【発明を実施するための形態】
【００２５】
以下、本発明の実施の形態について図面を参照して説明する。
【００２６】
図１は、本実施の形態の建物としてのユニット建物１０の補強構造の構成を説明する斜視図である。ここで、ユニット建物１０は、図２に示すような建物ユニット１を現場で複数、隣接して設置することによって構築される。
【００２７】
この建物ユニット１は、図２に示すように、隅角部に配置される柱材としての柱１１，・・・と、柱１１，・・・の下端間に架け渡される梁材としての床梁（１２，１３）と、柱１１，・・・の上端間に架け渡される梁材としての天井梁（１５，１６）とによってボックス形のラーメン構造体（骨組構造体）に形成される。
【００２８】
この建物ユニット１は、平面視矩形に形成されており、長辺側（桁側）の床梁を桁側床梁１２（第１床梁）とし、短辺側（妻側）の床梁を妻側床梁１３（第２床梁）とする。また、長辺側の天井梁を桁側天井梁１５とし、短辺側の天井梁を妻側天井梁１６とする。
【００２９】
ここで、桁側床梁１２、妻側床梁１３、桁側天井梁１５及び妻側天井梁１６は、溝形鋼又はリップ付き溝形鋼によって成形される。本実施の形態では、図１の桁側天井梁１５で図示されているように、平行な上下のフランジ１５２，１５２間がウエブ１５１によって連結された断面視略コ字形の溝形鋼を使用する場合について説明する。
【００３０】
この溝形鋼（桁側天井梁１５など）は、図１から明らかなように、フランジ１５２，１５２及びウエブ１５１によって形成される凹部の開放側が天井内部側（開口部１９０側）に向けられている。
【００３１】
また、図２に示すように、桁側床梁１２，１２間には長辺方向（第１方向又は桁方向ともいう。）に間隔を置いて複数の床小梁１７２，・・・が差し渡される。すなわち、この床小梁１７２は、妻側床梁１３と同じく短辺方向（第２方向又は妻方向ともいう。）に向いて略平行に配置される。
【００３２】
この床小梁１７２は、四角筒状の角形鋼管によって成形される。また、床小梁１７２の両端には、断面視コ字形の取付金具１７５（図８参照）が接合されており、その取付金具１７５は桁側床梁１２に溶接によって接合される。
【００３３】
さらに、床小梁１７２，・・・上には妻側床梁１３，１３間に複数の木製の床根太１７３，・・・が差し渡され、その上には床材１７１が貼り付けられる。すなわち、床部１７は、桁側床梁１２，１２間に差し渡された複数の床小梁１７２，・・・と、床小梁１７２，・・・上において妻側床梁１３，１３間に差し渡される複数の床根太１７３，・・・と、面状の床材１７１とによって主に構成される。
【００３４】
一方、桁側天井梁１５，１５間には、短辺方向に向けた複数の木製の天井根太１９２，・・・が架け渡され、それらの天井根太１９２，・・・の下面に天井材１９１が取り付けられることによって天井部１９が形成される。また、柱１１，１１間には壁部１８が設けられる。
【００３５】
さらに、図２に示すように、柱１１と桁側床梁１２又は妻側床梁１３との接合部には、断面視略コ字形の接合枠材１４が配置される。すなわち、柱１１の側面に接合枠材１４の端面が当接されて溶接によって接合がおこなわれ、接合枠材１４に対して桁側床梁１２又は妻側床梁１３が溶接によって接合される。この接合枠材１４は、柱１１と桁側天井梁１５又は妻側天井梁１６との接合にも使用される。
【００３６】
そして、ユニット建物１０を改装する際に、階段、エレベータ、エントランスやリビング等に設けられる吹き抜け空間などを構築する場合がある。図１は、ユニット建物１０にエレベータを設置するために、鉛直方向に投影した際に重なる位置に複数の開口部１９０，１７９，１７０Ａを設けた構成を示している。
【００３７】
すなわち、２階の建物ユニット１Ａの天井部１９には開口部１９０を設け、実施例１で説明する補強天井根太６，・・・を配置する。また、２階の建物ユニット１Ａの床部１７と１階の建物ユニット１Ｂの天井部１９を貫通させた開口部１７９を設ける。さらに、１階の建物ユニット１Ｂの床部１７には開口部１７０Ａを設け、エレベータの資機材などの荷重を支持させるために実施例２で説明する床補強小梁２Ａ，２Ｂを配置する。
【００３８】
以下、実施例において開口部の補強構造について説明する。
【実施例１】
【００３９】
以下、実施例１では、図３−７を参照しながら天井部１９に設ける第１開口部としての開口部１９０の構成について説明する。なお、前記実施の形態で説明した内容と同一乃至均等な部分の説明については同一符号を付して説明する。
【００４０】
図５は、建物ユニット１Ａの天井部１９の一部を切断して開口部１９０を設けた斜視図を示している。また、図３は、開口部１９０に差し渡される補強天井根太６の構成を説明する断面図である。
【００４１】
この図５では、開口部１９０の形状に合わせて一部が切り取られた天井材１９１が、天井根太１９２，・・・下に貼り付けられている。すなわち、この開口部１９０は、開口部１９０を設ける位置の天井材１９１を切断し、開口部１９０を横断する天井根太１９２を上げ越し処理することによって開口される。この上げ越し処理は、開口部１９０において既存の天井根太１９２の下面の位置のままでは他の部材と干渉するなど支障がある場合におこなわれる。
【００４２】
図４は、開口部１９０を設ける前に桁側天井梁１５，１５間に架け渡されていた天井根太１９２に対して、開口部１９０の位置の下面を既存の位置より上方に上げるために切取部１９２ａを切り取った天井根太１９２Ａを示した断面図である。
【００４３】
このように天井根太１９２Ａの一部である切取部１９２ａが取り除かれると、桁側天井梁１５，１５の横補剛剛性が低下することになるが、設計的に必要とされる水平方向の剛性が確保できていれば、そのまま既存の天井根太１９２Ａを使用し続けることができる。
【００４４】
これに対して、切取部１９２ａの除去によって必要とされる水平方向の剛性が確保できなくなる場合は、図３，５に示すように補強天井根太６を開口部１９０に配置することになる。
【００４５】
この補強天井根太６は、桁側天井梁１５，１５間に架け渡される。この補強天井根太６は、開口部１９０に差し渡される上側根太材６１と、その上側根太材６１の一端に重ね合わされる下側根太材６２と、上側根太材６１と下側根太材６２とを接合する連結金具６４と、上側根太材６１の端部と桁側天井梁１５とを繋ぐ端接合金具６３とを主に備えている。
【００４６】
この上側根太材６１は、長尺状の木製の角材によって成形される。また、下側根太材６２も、長尺状の木製の角材によって成形される。さらに、下側根太材６２の一端には、桁側天井梁１５のフランジ１５２に引っ掛けるための引掛部６２ａが形成される。また、上側根太材６１又は下側根太材６２は、開口部１９０に架け渡されていた既存の天井根太１９２を加工することによって形成することができる。
【００４７】
そして、下側根太材６２の端部の上に上側根太材６１の端部が載置される。さらに、上下に重ね合わされた上側根太材６１と下側根太材６２とは、上側根太材６１と下側根太材６２の側面に跨って取り付けられる連結金具６４によって接合される。
【００４８】
この連結金具６４は、矩形状の鋼板によって成形される。また、連結金具６４は、締結部材としてのドリルねじ６６，・・・を捩じ込むことによって上側根太材６１と下側根太材６２のそれぞれに固定される。
【００４９】
さらに、この連結金具６４は、上側根太材６１及び下側根太材６２を挟んで両側面に取り付けられる。また、下側根太材６２の開口部１９０側の端面には、図１，３に示すように枠板１９５を直交させる。
【００５０】
このように下側根太材６２の上に載置された上側根太材６１の桁側天井梁１５側の端部は、図３に示すようにウエブ１５１の中ほどに当接される。そこで、上側根太材６１の端部と桁側天井梁１５とを繋ぐために端接合金具６３を使用する。
【００５１】
この端接合金具６３は、上側根太材６１の両側面に沿ってそれぞれ配置される略Ｌ字状に形成された長Ｌ金具６３１と、上側根太材６１の下面より下方に垂下された下端に形成された座金６３２とを備えている。この座金６３２は、桁側天井梁１５の下側のフランジ１５２上に載置され、締結部材としてのドリルねじ６５によって桁側天井梁１５に固定される。
【００５２】
また、この座金６３２と上側根太材６１の端部との間には、台材６１１を介在させる。さらに、端接合金具６３は、ドリルねじ６６，・・・を使って上側根太材６１及び台材６１１に固定させる。
【００５３】
このように構成された補強天井根太６を開口部１９０に配置したユニット建物１０の補強構造は、開口部１９０又はその周辺に位置する天井根太１９２の下面を既存の位置より上方に上げる上げ越し処理を施す。
【００５４】
このように既存のユニット建物１０に開口部を設ける際に、開口部１９０に新たに配置する資機材や部材などと干渉する切取部１９２ａを除去した天井根太１９２Ａとすることで、目的に合った開口部１９０を構築することができる。
【００５５】
例えば、この実施例１のように改装時にエレベータを設ける場合に、最上階の天井部１９に設けた開口部１９０においては、エレベータの取り付けに支障となる天井根太１９２の下部を除去しなければならないことがある。
【００５６】
この際、上げ越し処理をすることによって既存の天井根太１９２の一部が取り除かれると、横補剛効果部材が取り除かれることになって風荷重や地震荷重などの水平方向の荷重が桁側天井梁１５の側方から作用したときの剛性が低下することになる。このため、必要に応じて補強天井根太６を設けることによって水平方向の剛性を充分に確保した上げ越し処理をおこなうこととする。
【００５７】
ここで、補強天井根太６を上下に配置する上側根太材６１と下側根太材６２とを使って構成するのであれば、上側根太材６１と下側根太材６２とをスライドさせるだけで容易に既存の桁側天井梁１５，１５間の間隔に合わせることができる。さらに、下側根太材６２の長さを調整することで、容易に上げ越し処理をおこなう範囲を変更することができる。
【００５８】
また、補強天井根太６の端部に取り付けられる端接合金具６３に、桁側天井梁１５のフランジ１５２に載置させる座金６３２を設けることで、補強天井根太６の端部と桁側天井梁１５とを容易に連結させることができる。
【００５９】
さらに、上側根太材６１と下側根太材６２の側面に跨って取り付けられる連結金具６４を使用することで、上下に何ら部材を突出させることなく２つの部材を接合させることができる。すなわち、側面に取り付ける連結金具６４を使用するのであれば、補強天井根太６の上下に突出する箇所がなく、他の部材と干渉することもない。
【００６０】
また、任意の位置にドリルねじ６６，・・・を捩じ込むことで連結金具６４を固定する構成であれば、上側根太材６１及び下側根太材６２に対する位置合わせを正確におこなう必要がなく、容易に上側根太材６１と下側根太材６２とを接合させることができる。
【００６１】
次に、図６，７を参照しながら、別の形態の補強天井根太７について説明する。上述した補強天井根太６は、上下に２つの根太材を重ねることによって構成されたが、以下で説明する補強天井根太７は、横方向に２つの根太材を重ねることによって構成される。
【００６２】
この補強天井根太７は、桁側天井梁１５，１５間に差し渡される主根太材７１と、その主根太材７１の側面に固定される副根太材７２と、主根太材７１と副根太材７２とを接合させる締結部材としての複数の木ねじ７３，・・・とを主に備えている。
【００６３】
この主根太材７１は、長尺状の木製の角材によって成形されている。また、主根太材７１は、開口部１９０を跨いで桁側天井梁１５，１５間に架け渡し可能な長さに形成され、端部には桁側天井梁１５のフランジ１５２に引っ掛ける引掛部７１ａが形成される。
【００６４】
さらに、主根太材７１には、開口部１９０に配置される箇所の下部が切り取られた切欠部７１ｂが形成される。この切欠部７１ｂが、下面を既存の位置より上方に上げる上げ越し処理を施した箇所となる。そして、このような主根太材７１は、既存の天井根太１９２を加工することによって形成される。
【００６５】
一方、副根太材７２は、長尺状の木製の角材によって主根太材７１よりも短く形成される。また、副根太材７２は、主根太材７１よりも高さが低く形成される。この副根太材７２の高さは、主根太材７１の切欠部７１ｂの高さと略同じ高さになる。
【００６６】
そして、側方から見て主根太材７１の切欠部７１ｂの軸方向の少なくとも一部と合致するように副根太材７２を重ね合わせ、複数の木ねじ７３，・・・を使って双方を接合する（図６参照）。
【００６７】
また、この補強天井根太７の上には、受け材１９３を載置する。この受け材１９３は、折板屋根のタイトフレーム（図示省略）を支持させる部材である。例えば、折板屋根の上に太陽光パネルを設置する場合は、桁側天井梁１５や妻側天井梁１６の上だけでなく、天井根太１９２上に受け材１９３を載せて、荷重を支持させる場合がある。そのような場合に、補強天井根太７を架け渡した位置でも受け材１９３を支持できる強度に補強をおこなう。
【００６８】
このように構成された補強天井根太７は、主根太材７１の上部の側面に沿って切欠部７１ｂと同じ高さの副根太材７２を重ねることによって構成される。このため、開口部１９０の上げ越し処理を施した箇所だけでなく、その他の箇所においても主根太材７１よりも上方や下方に突出される箇所がなく、他の部材と干渉するなどの支障を起こさせることなく軸方向の広い範囲にわたって補強をおこなうことができる。
【００６９】
特に、折板屋根の上に太陽光パネルを設置する際など補強天井根太７の上から荷重を載荷させる場合は、その載荷点周辺を副根太材７２によって部分的に補強することが容易にできる。
【００７０】
なお、他の構成及び作用効果については、上述した補強天井根太６、前記実施の形態又は他の実施例と略同様であるので説明を省略する。
【実施例２】
【００７１】
以下、実施例２では、図８−１３を参照しながら床部１７に設ける第２開口部としての開口部１７０Ａ，１７０Ｂについて説明する。なお、前記実施の形態又は実施例１で説明した内容と同一乃至均等な部分の説明については同一符号を付して説明する。
【００７２】
この図８では、構成をわかりやすくするために床材１７１を取り除いた状態を示している。本来であれば、開口部１７０Ａの形状に合わせて一部が切り取られた床材１７１が、床根太１７３，・・・上に貼り付けられている。
【００７３】
すなわち、この建物ユニット１Ｂの開口部１７０Ａは、開口部１７０Ａの直上の床材１７１と、開口部１７０Ａを横断する床根太１７３Ａ，・・・を切断することによって開口される。
【００７４】
この床根太１７３Ａは、切断される前は他の床根太１７３と同様に、端部が妻側床梁１３上に載置され、固定ビス１７４によって妻側床梁１３のフランジ１３２に固定されていた。また、開口部１７０Ａの位置に存在していた床材１７１は、切断される前の床根太１７３Ａ，・・・によって支持されていた。
【００７５】
これに対して、開口部１７０Ａを設けた後は、開口部１７０Ａ又はその周辺の拘束が開放され、水平方向の剛性が低下することになるため、床補強小梁２Ａ，２Ｂを配置することによって開口部１７０Ａ周辺の床部１７や床梁（１２，１３）の補強をおこなうこととする。
【００７６】
すなわち、図８，９に示すように、妻側床梁１３とそれに隣接する床小梁１７２との間に床補強小梁２Ａを差し渡し、床小梁１７２，１７２間に床補強小梁２Ｂを差し渡す。これらの床補強小梁２Ａ，２Ｂは、例えば四角筒状の角形鋼管によって成形される。
【００７７】
この床補強小梁２Ａは、一端が妻側床梁１３のウエブ１３１に接合され、他端が床小梁１７２の側面に接合される。この妻側床梁１３に接合される床補強小梁２Ａの端部には、図１０（ａ）に示すように、取付部としての端面板２１が溶接部２３，２３を介して接合される。
【００７８】
この端面板２１は、床補強小梁２Ａの断面よりも大きな面積を有し、図１０（ａ）に示すように、床補強小梁２Ａの側方（軸直交方向）に張り出した部分が張出部２１ａ，２１ａとなる。
【００７９】
そして、端面板２１の背面をウエブ１３１の床内部側の側面に当接させ、締結部材としてのドリルねじ２２，・・・を床内部側から張出部２１ａ，２１ａに捩じ込むことで、床補強小梁２Ａの一端が妻側床梁１３に固定される。
【００８０】
一方、床補強小梁２Ａの他端及び床補強小梁２Ｂの一端は、図１０（ｂ）に示すように、端面板２１とＬ金具２４とによって構成される取付部を介して床小梁１７２の側面に接合される。
【００８１】
この床補強小梁２Ｂ（２Ａ）の端部は、端面板２１に溶接部２３を介して接合された断面視略Ｌ字形のＬ金具２４の上に載置され、ドリルねじ２２，２２によってＬ金具２４に固定される。
【００８２】
また、端面板２１は、その背面を床小梁１７２の側面に当接させ、ドリルねじ２２，・・・を側方から張出部２１ａ，２１ａに捩じ込むことで、床補強小梁２Ｂ（２Ａ）の端部が床小梁１７２に固定される。
【００８３】
さらに、もう一方の床補強小梁２Ｂの端部は、図１０（ｃ）に示すように、取付部としての端面板２１を介して床小梁１７２の側面に接合される。すなわち、端面板２１の背面を床小梁１７２の開口部１７０Ａ側の側面に当接させ、締結部材としてのドリルねじ２２，・・・を開口部１７０Ａ側から張出部２１ａ，２１ａに捩じ込むことで、床補強小梁２Ｂの端部が床小梁１７２に固定される。
【００８４】
また、図８に示すように、妻側床梁１３とそれに隣接する床小梁１７２との間には、開口部１７０Ａ周辺の２箇所において床補強小梁２Ａ，２Ａが平行に差し渡される。
【００８５】
これらの床補強小梁２Ａ，２Ａ，２Ｂの配置位置は、開口部１７０Ａの利用目的に応じて適宜、変更することができる。例えば、図１に示すようにエレベータを設置するに際して１階の建物ユニット１Ｂの床部１７に開口部１７０Ａを設ける場合は、エレベータに使用する資機材や部材の自重などの鉛直荷重が追加されることになるので、その荷重の作用位置に合わせて床補強小梁２Ａ，２Ａ，２Ｂを配置すればよい。
【００８６】
このように構成された床補強小梁２Ａ，２Ｂを開口部１７０Ａに配置したユニット建物１０の補強構造は、開口部１７０Ａ又はその周辺に位置する床小梁１７２，１７２を、床小梁１７２と妻側床梁１３との間及び床小梁１７２，１７２間に差し渡された床補強小梁２Ａ，２Ｂによって補強する。
【００８７】
また、開口部１７０Ａを形成する際に床根太１７３Ａ，・・・を切断すると、横補剛効果部材が取り除かれることになって風荷重や地震荷重などの水平方向の荷重が妻側床梁１３の側方から作用したときの剛性が低下することになるが、床補強小梁２Ａ，２Ａ，２Ｂを介在させて支持させることで水平方向の剛性が補われ、妻側床梁１３の変形を抑えることができる。
【００８８】
そして、床補強小梁２Ａ，２Ｂの両端は、それぞれ開口部１７０Ａ側となる側方から挿入されるドリルねじ２２，・・・によって固定される。このため、既存のユニット建物１０に開口部１７０Ａを設ける際にも、開口部１７０Ａから床補強小梁２Ａ，２Ｂの固定をおこなうことができるので、容易にユニット建物１０を補強することができる。
【００８９】
また、開口部１７０Ａを使って床置きエレベータなどを新たに設ける場合は、開口部１７０Ａの床小梁１７２及び床補強小梁２Ａ，２Ｂにエレベータに使用する部材や機器などの鉛直方向の上載荷重が作用することになる。
【００９０】
このようにユニット建物１０に新たな荷重が追加される場合でも、床補強小梁２Ａ，２Ｂによって床小梁１７２や妻側床梁１３の支持点が設けられていれば、充分に耐力を確保することができる。
【００９１】
また、床補強小梁２Ａ，２Ｂの端部に軸直交方向に張り出された張出部２１ａを設けることで、開口部１７０Ａを利用して側方から容易にドリルねじ２２，・・・を装着することが可能な装着箇所を確保することができる。
【００９２】
さらに、床補強小梁２Ａ，２Ｂが床小梁１７２と略同じ高さに配置されれば、床小梁１７２と妻側床梁１３との間及び床小梁１７２，１７２間に軸力材として介在されることになり、妻側床梁１３の側方から作用する力による水平方向の変形（弱軸方向の変形）に対して、床補強小梁２Ａ，２Ｂの軸方向強さによって充分に対抗させることができる。
【００９３】
次に、図１１−１３を参照しながら、別の形態の床補強小梁３を配置した開口部１７０Ｂについて説明する。すなわち、上述した開口部１７０Ａは、床材１７１と床根太１７３Ａを切断することによって形成されたが、この開口部１７０Ｂは、図１１に示すように建物ユニット１Ｃの床材１７１と床根太１７３Ａと床小梁１７２Ａを切断することによって形成される。
【００９４】
このようにして形成された開口部１７０Ｂ又はその周辺には、床補強小梁３を使った補強をおこなう。この床補強小梁３は、例えば四角筒状の角形鋼管によって成形される。
【００９５】
この床補強小梁３は、切断された床小梁１７２Ａの下を通ってそれに隣接する別の床小梁１７２と妻側床梁１３との間に差し渡される。また、切断された床小梁１７２Ａの端部は、床補強小梁３の上に載置され、床補強小梁３によって下方から支持される。
【００９６】
この床補強小梁３は、図１２に示すように、一端が妻側床梁１３のウエブ１３１に接合され、他端が床小梁１７２の側面に接合される。この妻側床梁１３に接合される床補強小梁３の端部には、図１２及び図１３（ａ）に示すように、取付部としての梁側取付部３１が設けられている。
【００９７】
この梁側取付部３１は、ウエブ１３１に当接させる取付板３１１と、その取付板３１１の開口部１７０Ｂ側の面に溶接部２３を介して接合される側面視略逆Ｌ字形の接続金具３１２と、接続金具３１２と床補強小梁３の端部との間に介在させるＬ金具３１３とによって主に構成される。
【００９８】
この接続金具３１２は、図１２に示すように、取付板３１１に側縁が当接されてフランジ１３２より張り出された後に下方に向けて垂下される逆Ｌ字形のＬ状板３１２ａと、間隔を置いて平行に取付板３１１に取り付けられたＬ状板３１２ａ，３１２ａの床内部側（開口部１７０Ｂ側）の側縁間を塞ぐ矩形板３１２ｂとによって形成される。
【００９９】
この妻側床梁１３の凹部から張り出して下方に延設される接続金具３１２を介在させることで、床補強小梁３の取り付け位置を、床小梁１７２Ａ，１７２や妻側床梁１３よりも低い位置にすることができる。
【０１００】
そして、この矩形板３１２ｂの下部に、溶接部２３を介してＬ金具３１３を接合する。また、Ｌ金具３１３の上には、床補強小梁３の端部を載置し、ドリルねじ２２，２２によってＬ金具３１３に固定させる。
【０１０１】
一方、床補強小梁３の他端は、図１２及び図１３（ｂ）に示すように、取付部としての長板３２を介して床小梁１７２の側面に接合される。この長板３２は、床小梁１７２の高さよりも長い長辺を有する長方形状の鋼板によって成形される。
【０１０２】
そして、長板３２の下部に溶接部２３を介して床補強小梁３の端部を接合する。また、床補強小梁３の上方に張り出された長板３２の張出部３２ａには、開口部１７０Ｂ側から締結部材としてのドリルねじ２２，２２を捩じ込むことで、床補強小梁３の端部を床小梁１７２に固定させる。
【０１０３】
このように床小梁１７２より低い位置に配置される床補強小梁３によって、開口部１７０Ｂを形成する際に切断された床小梁１７２Ａの端部を下方から支持させることで、切断された床小梁１７２Ａ周辺の強度の低下を防ぐことができる。
【０１０４】
例えば、エレベータボックスが通過可能な空間や広い吹き抜け空間を形成するには少なくとも一本の床小梁１７２を切断する必要があるが、切断された床小梁１７２Ａは桁側床梁１２との連結が解除されるので、補強がなければたわみ易い状態になる。そして、床小梁１７２Ａがたわみ易い状態になると、床根太１７３を介して床小梁１７２Ａに支持される開口部１７０Ｂ周辺の床材１７１の支持が不充分になり、床のたわみや床鳴りが発生する原因になる。
【０１０５】
これに対して切断された床小梁１７２Ａの端部を床補強小梁３によって下方から支持させれば、床小梁１７２Ａの変形が抑制され、開口部１７０Ｂ周辺の床のたわみや床鳴りの発生を防ぐことができる。
【０１０６】
また、妻側床梁１３の水平方向（弱軸方向）の剛性についても、妻側床梁１３と床小梁１７２とを連結させる床補強小梁３によって補われるため、妻側床梁１３の側方から作用する水平方向の荷重に対して妻側床梁１３の変形を抑えることができる。
【０１０７】
また、このように床小梁１７２，１７２Ａよりも低い位置に床補強小梁３を配置する際には、ウエブ１３１に当接させる取付板３１１から下方に延設される接続金具３１２を使用することによって、端部の強度を低下させることなく、床補強小梁３と妻側床梁１３とを容易に連結させることができる。
【０１０８】
さらに、床補強小梁３が床小梁１７２Ａの下を通過させる低い位置に配置されていれば、床小梁１７２，１７２Ａの高さの空間を有効に活用することができる。
【０１０９】
なお、他の構成及び作用効果については、上述した床補強小梁２Ａ，２Ｂ、前記実施の形態又は他の実施例と略同様であるので説明を省略する。
【実施例３】
【０１１０】
以下、実施例３では、図１４−１９を参照しながら補強梁４，５を使った開口部１７９の補強について説明する。なお、前記実施の形態又は他の実施例で説明した内容と同一乃至均等な部分の説明については同一符号を付して説明する。
【０１１１】
この実施例３では、前記実施例２で説明したような床補強小梁２Ａ，２Ｂ，３による補強だけでなく、開口部１７９周辺の桁側床梁１２及び妻側床梁１３を補強梁４によって直接、補強する構成について説明する。
【０１１２】
例えば、エレベータ経路を形成したり吹き抜け空間を形成したりするために、図１４に示すような大きな開口部１７９を形成すると、床小梁１７２Ａが切断されることになって桁側床梁１２の横補剛剛性が低下することになる。
【０１１３】
また、開口部１７９として部材が横たわることのない広い空間を確保するためには、床補強小梁２Ｃ，３Ａを配置する位置も開口部１７９周辺の床材１７１の下に制限されることになる。
【０１１４】
そこで、この実施例３では、補強梁４を使って、開口部１７９に面する桁側床梁１２及び妻側床梁１３の補強をおこなう。この補強梁４は、図１４，１５に示すように、桁側床梁１２及び妻側床梁１３の軸方向に沿って配置される長尺状の鋼材である。
【０１１５】
例えば、補強梁４は、図１６に示すように、平行な上下のフランジ４２，４２間がウエブ４１によって連結された断面視略コ字形の溝形鋼によって形成される。また、補強梁４は、妻側床梁１３（又は桁側床梁１２）の凹部の開放側に、補強梁４の凹部の開放側を向かい合わせにした状態で配置される。
【０１１６】
そして、補強梁４は、鉛直方向（補強梁４の短手方向）に間隔を置いて配置される連結部材４３，４３によって妻側床梁１３（又は桁側床梁１２）のウエブ１３１に連結される。この連結部材４３，４３は、図１４，１５に示すように補強梁４の長手方向に、複数個間隔を置いて設けられる。
【０１１７】
この連結部材４３は、図１６に示すように、鋼板を折り曲げ加工することによって形成される。具体的には、連結部材４３の本体部４３１はフランジ１３２と略平行になり、本体部４３１の妻側床梁１３側の端部は、本体部４３１に対して直角上向きに折り曲げられて固定片４３２が形成される。また、補強梁４側の端部は、本体部４３１に対して直角下向きに折り曲げられて固定片４３３が形成される。すなわち、本体部４３１の両端に形成された固定片４３２，４３３同士は、上下逆向きに突出された形状となる。
【０１１８】
また、妻側床梁１３のウエブ１３１に当接される固定片４３２は、締結部材としてのドリルねじ４３４によってウエブ１３１に固定される。このドリルねじ４３４の捩じ込みは、開口部１７９を利用して側方からおこなうことができる。
【０１１９】
図１７は、図１６のＧ−Ｇ矢視方向で見た連結部材４３，４３の正面を示した図である。下側の連結部材４３の固定片４３２に捩じ込まれるドリルねじ４３４は、上側の連結部材４３の固定片４３３に覆われて側方から見えなくなるが、下側の連結部材４３を先に取り付けるようにすれば、上下の連結部材４３，４３を側方から容易に固定することができる。
【０１２０】
また、このような形状をした連結部材４３であれば、外壁材に設けられた桟材や補強柱の取付ボルトなどの既存の仕様に干渉しないようにして妻側床梁１３に取り付けることができる。さらに、間隔を置いて配置される連結部材４３，４３を使用する構成であれば、床梁（１２，１３）の水平方向の剛性を少ない部材量で高めることができる。
【０１２１】
また、開口部１７９側に露出された固定片４３３，４３３に対しては、補強梁４のウエブ４１を当接させ、ドリルねじ４３４，４３４を開口部１７９側から捩じ込むことで、補強梁４を連結部材４３，４３に固定することが容易にできる。
【０１２２】
このように開口部１７９又はその周辺に位置する床梁（１２，１３）の長手方向に沿って補強梁４，４を配置し、床梁（１２，１３）のウエブ１３１と補強梁４とを両端に固定片４３２，４３３が形成された曲げ板状の連結部材４３とドリルねじ４３４とによって連結させれば、床梁（１２，１３）自体の強軸方向の許容曲げ応力度を低下させることなく、床梁の弱軸方向の強度（床梁の側方から作用する力に対する水平方向の剛性）を高めることができる。
【０１２３】
また、図１４，１５に示すように、開口部１７９の周辺には床補強小梁２Ｃ，３Ａを配置する。この床補強小梁２Ｃによって、切断された床根太１７３Ａ，・・・の端部を下方から支持させる。
【０１２４】
この床補強小梁２Ｃは、床小梁１７２と略平行となるとともに、床小梁１７２と略同じ高さに配置される。また、床補強小梁２Ｃの桁側床梁１２側の端部は、図１５に示すように、取付部としての端面板２１とＬ金具２４を介して、ドリルねじ２２によって桁側床梁１２に固定される。なお、床補強小梁２Ｃの開口部１７９側は枠板１７６Ａによって塞がれる。
【０１２５】
また、床補強小梁２Ｃの他方の端部は、床補強小梁３Ａの上に載置される。この床補強小梁３Ａは、切断された床小梁１７２Ａと、床補強小梁２Ｃの下を通って、妻側床梁１３と床小梁１７２との間に差し渡される。
【０１２６】
この床補強小梁３Ａの妻側床梁１３側の端部には、図１５に示すように、取付板３１１と接続金具３１２とＬ金具３１３とによって取付部が形成されており、取付板３１１の張出部３１１ａにドリルねじ２２，・・・を捩じ込むことによって妻側床梁１３に固定される。
【０１２７】
また、床補強小梁３Ａの他方の端部には、長板３２が取付部として設けられており、開口部１７９周辺の切断されていない床小梁１７２の側面に長板３２を当接させ、ドリルねじ２２を捩じ込むことによって固定される。
【０１２８】
さらに、床補強小梁３Ａの上に載置された切断された床小梁１７２Ａの端部は、取付部としての取付金具３３とドリルねじ２２，・・・によって床補強小梁３Ａに固定される。なお、床補強小梁３Ａの開口部１７９側は枠板１７６Ｂによって塞がれる。
【０１２９】
そして、床補強小梁３Ａの上に載置された床補強小梁２Ｃの端部は、床小梁１７２Ａの端部と同様に、取付部としての取付金具３３とドリルねじ２２，・・・によって床補強小梁３Ａに固定される。
【０１３０】
一方、大きな開口部１７９を形成すると、下階の建物ユニット１Ｂの天井部１９では、天井根太１９２が大きく切り欠かれたり切断されたりして、桁側天井梁１５の横補剛剛性が低下することがある。また、図２に示すように、妻側天井梁１６の横補剛剛性は、隣接する天井根太１９２との間に差し渡された端根太１９４，・・・によって確保されているが、この端根太１９４が取り除かれると妻側天井梁１６の横補剛剛性が低下することになる。
【０１３１】
そこで、補強梁５を使って開口部１７９に面する桁側天井梁１５及び妻側天井梁１６の補強をおこなう。この補強梁５は、図１４，１９に示すように、桁側天井梁１５及び妻側天井梁１６の軸方向に沿って配置される長尺状の鋼材である。
【０１３２】
例えば、補強梁５は、図１８に示すように、平行な上下のフランジ５２，５２間がウエブ５１によって連結された断面視略コ字形の溝形鋼によって形成される。また、補強梁５は、桁側天井梁１５（又は妻側天井梁１６）の凹部の開放側に、補強梁５の凹部の開放側を向かい合わせにした状態で配置される。
【０１３３】
そして、補強梁５は、鉛直方向（補強梁５の短手方向）に間隔を置いて２箇所に形成される固定片５３２，５３２を有する連結部材５３によって桁側天井梁１５（又は妻側天井梁１６）のウエブ１５１に連結される。この連結部材５３は、図１４，１９に示すように補強梁５の長手方向に、複数個間隔を置いて設けられる。
【０１３４】
この連結部材５３は、図１８に示すように、鋼板を折り曲げ加工することによって形成される。具体的には、連結部材５３の梁側固定部５３１はウエブ１５１に沿って平板状に形成され、その梁側固定部５３１の上下の両縁部５３３，５３３はフランジ１５２，１５２と略平行となるように直角に折り曲げられることによって形成される。
【０１３５】
そして、上側の縁部５３３の補強梁５側を直角上向きに折り曲げることによって上側の固定片５３２が形成される。また、下側の縁部５３３の補強梁５側を直角下向きに折り曲げることによって下側の固定片５３２が形成される。すなわち、連結部材５３の上縁と下縁に形成された固定片５３２，５３２同士は、上下逆向きに突出された形状となる。
【０１３６】
また、桁側天井梁１５のウエブ１５１に当接される梁側固定部５３１は、締結部材としてのドリルねじ５３４によってウエブ１５１に固定される。このドリルねじ５３４の捩じ込みは、開口部１７９を利用して側方からおこなうことができる。
【０１３７】
図１９は、連結部材５３，５３によって桁側天井梁１５に固定された補強梁５を開口部１７９の中央側から見た正面図である。この図に示すように、開口部１７９側に露出される固定片５３２，５３２に対しては、補強梁５のウエブ５１を当接させ、ドリルねじ５３４，５３４を開口部１９０側から捩じ込むことで、補強梁５を連結部材５３に固定することが容易にできる。
【０１３８】
このように開口部１７９又はその周辺に位置する桁側天井梁１５の長手方向に沿って補強梁５を配置し、桁側天井梁１５のウエブ１５１と補強梁５とを両端に固定片５３２，５３２が形成された曲げ板状の連結部材５３とドリルねじ５３４とによって連結させれば、桁側天井梁１５自体の強軸方向の許容曲げ応力度を低下させることなく、桁側天井梁１５の弱軸方向の強度（桁側天井梁１５の側方から作用する力に対する水平方向の剛性）を高めることができる。
【０１３９】
このように開口部１７９又はその周辺に位置する天井梁（１５，１６）の長手方向に沿って補強梁５を配置し、天井梁（１５，１６）のウエブ１５１と補強梁５とを両端に固定片５３２，５３２が形成された曲げ板状の連結部材５３とドリルねじ５３４，・・・とによって連結させることで開口部１７９を補強することができる。
【０１４０】
このように実施例３では、図１４に示すように開口部１７９の上階側の四辺が、補強梁４，４及び床補強小梁２Ｃ，３Ａによって補強される。ここで、床補強小梁２Ｃが配置されることによって、切断された床根太１７３Ａ，・・・の端部が下方から支持されることになり、開口部１７９周辺の床部１７が補強される。
【０１４１】
また、桁側床梁１２の横補剛効果部材であった床小梁１７２Ａの切断によって低下した水平方向の剛性を、床補強小梁２Ｃによる支持点を追加することによって補うことができる。
【０１４２】
さらに、床補強小梁３Ａが配置されることによって、切断された床小梁１７２Ａ及び床補強小梁２Ｃの端部が下方から支持されることになり、開口部１７９周辺の床部１７が補強される。
【０１４３】
また、妻側床梁１３の横補剛効果部材であった床根太１７３Ａ，・・・の切断によって低下した水平方向の剛性を、床補強小梁３Ａによる支持点を追加することによって補うことができる。
【０１４４】
このように開口部１７９又はその周辺に位置する床梁（１２，１３）の長手方向に沿って補強梁４，４を配置し、床梁（１２，１３）のウエブ１３１と補強梁４とを両端に固定片４３２，４３３が形成された曲げ板状の連結部材４３，４３とドリルねじ４３４，・・・とによって連結させることで、床補強小梁２Ｃ，３Ａによる補強効果に加えて、さらに開口部１７９を補強することができる。
【０１４５】
一方、開口部１７９の下階側は、開口部１７９に面する桁側天井梁１５及び妻側天井梁１６に沿って配置される補強梁５，５によって補強される。さらに、図示していないが、開口部１７９の下階側には、実施例１で説明した補強天井根太６，７を配置して補強することができる。
【０１４６】
このため、既存のユニット建物１０の耐力を落とすことなく、改装時にエレベータ経路となる開口部１７９を、１階の建物ユニット１Ｂと２階の建物ユニット１Ａとの境界に新たに設けることができる。
【０１４７】
また、連結部材４３，４３が補強梁４の短手方向に少なくとも２個設けられている場合は、床梁（１２，１３）と連結部材４３，４３と補強梁４とで閉断面に近い断面が形成されるので、床梁（１２，１３）の許容曲げ応力度を増加させることができる。さらに、連結部材５３の固定片５３２，５３２が補強梁５の短手方向の２箇所に設けられている場合も、天井梁（１５，１６）と固定片５３２，５３２を有する連結部材５３と補強梁５とで閉断面に近い断面が形成されるので、同様の効果を得ることができる。
【０１４８】
また、連結部材４３，５３を、図１４に示すように、補強梁４，５の長手方向に複数個間隔を置いて設ける構成とすることで、床小梁１７２や天井根太１９２や端根太１９４が取り付けられていた箇所を避けて連結部材４３，５３を取り付けることができる。このため、床小梁１７２や天井根太１９２の端部をそのまま切り残したり、その取付金具１７５などをそのまま残したりしても、補強梁４，５を取り付けることができる。
【０１４９】
さらに、補強梁４，５を、床梁（１２，１３）及び天井梁（１５，１６）の凹部の開放側に凹部の開放側を向かい合わせにした溝形鋼又はリップ付き溝形鋼によって形成することで、既存のユニット建物に下階から上階にわたる吹き抜け空間を設けるなどの改装時において、補強梁４，５にフランジ４２，５２を設けた分、板状の補強梁を使用した場合に比べて水平方向の剛性を高めることができる。
【０１５０】
また、補強梁４，５のフランジ４２，５２が床梁側又は天井梁側を向いて床梁（１２，１３）又は天井梁（１５，１６）の凹部に収容されるのであれば、開口部１７９への突出量を最小限に抑えることができ、内壁材１８１（図１参照）などを取り付ける際にも邪魔になることがない。
【０１５１】
なお、他の構成及び作用効果については、前記実施の形態又は他の実施例と略同様であるので説明を省略する。
【０１５２】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１５３】
例えば、前記実施の形態又は実施例では、第１天井梁を桁側天井梁１５とし、第２天井梁を妻側天井梁１６としたが、これに限定されるものではなく、第１天井梁を妻側天井梁とし、第２天井梁を桁側天井梁としてもよい。また、第１天井梁と第２天井梁の長さが同じであってもよい。また、第１床梁を桁側床梁１２とし、第２床梁を妻側床梁１３としたことについても、これに限定されるものではない。
【０１５４】
さらに、前記実施例１では、締結部材としてドリルねじ６５，６６，５３４又は木ねじ７３を使用する場合について説明したが、これに限定されるものではなく、例えば、ドリルなどの穿孔機で孔を開けたり既存の孔が利用できたりするのであれば、ワンサイドボルト、ネジ、ビスなどを締結部材として使用することができる。また、端接合金具６３及び連結金具６４の固定にはドリルねじ６６に代えて木ねじや釘などを使用することもできる。さらに、主根太材７１と副根太材７２との接合には、木ねじ７３に代えてドリルねじや釘などを使用することもできる。また、前記実施例２では、締結部材としてドリルねじ２２，４３４を使用する場合について説明したが、前記実施例１と同様にこれに限定されるものではない。
【０１５５】
また、前記実施例１では、補強される天井根太として桁側天井梁１５，１５間に架け渡される補強天井根太６，７について説明したが、これに限定されるものではなく、妻側天井梁１６と天井根太１９２との間に架け渡される端根太１９４を上げ越し処理する場合にも同様の補強をおこなうことができる。例えば、前記実施例１で説明した端接合金具６３を使って端根太１９４の下面の位置を上方に移動させることができる。
【０１５６】
また、前記実施例２では、開口部１７０Ａの床小梁１７２を、床補強小梁２Ａ，２Ｂによって両側から支持させたが、これに限定されるものではなく、所望される強度によってはいずれか一方の床補強小梁２Ａ（２Ｂ）のみの配置であってもよい。
【０１５７】
さらに、前記実施例２では、床補強小梁３，３Ａは、一本の床小梁１７２Ａの下を通過しているだけであるが、これに限定されるものではなく、複数の床小梁１７２，・・・の下を通過させる床補強小梁であってもよい。
【０１５８】
また、前記実施例３では、開口部１７９に面した桁側床梁１２と妻側床梁１３の両方を補強梁４，４によって補強し、桁側天井梁１５と妻側天井梁１６の両方を補強梁５，５によって補強したが、これに限定されるものではなく、いずれかの梁を補強するだけでもよい。
【０１５９】
さらに、前記実施の形態又は実施例では、ラーメン構造体である建物ユニット１Ａ，１Ｂを複数、隣接させて構成されるユニット建物１０の補強構造について説明したが、これに限定されるものではない。例えば、軽量形鋼を使った梁材と柱材とによって組み立てられる骨組構造体が形成される鉄骨造の建物にも本発明を適用することができる。
【符号の説明】
【０１６０】
１０            ユニット建物（建物）
１，１Ａ−１Ｃ  建物ユニット（骨組構造体）
１１            柱（柱材）
１２            桁側床梁（第１床梁、梁材）
１３            妻側床梁（第２床梁、梁材）
１３１          ウエブ
１３２          フランジ
１５            桁側天井梁（第１天井梁、梁材）
１５１          ウエブ
１５２          フランジ
１６            妻側天井梁（第２天井梁、梁材）
１７            床部
１７２，１７２Ａ  床小梁
１７３，１７３Ａ  床根太
１７０Ａ，１７０Ｂ  開口部（第２開口部）
１９            天井部
１９２，１９２Ａ  天井根太
１９０          開口部（第１開口部）
２Ａ−２Ｃ      床補強小梁
２１            端面板（取付部）
２１ａ          張出部
３，３Ａ        床補強小梁
３１            梁側取付部（取付部）
３１１          取付板
３１１ａ        張出部
３２            長板（取付部）
３２ａ          張出部
３３            取付金具（取付部）
４              補強梁
４１            ウエブ
４２            フランジ
４３            連結部材
４３１          本体部
４３２，４３３  固定片
４３４          ドリルねじ（締結部材）
５              補強梁
５１            ウエブ
５２            フランジ
５３            連結部材
５３２          固定片
５３４          ドリルねじ（締結部材）
６              補強天井根太
７              補強天井根太
【要約】
【課題】改装時に開口部を設けるときでも容易に実施することが可能な建物の補強構造を提供する。
【解決手段】ユニット建物１０の２階を構成する建物ユニット１Ａの天井部１９の一部を切断して開口部１９０を形成した際に、開口部又はその周辺に補強天井根太６を設ける。
また、建物ユニット１Ａの床部１７の一部を切断して開口部１７９を形成した際に、開口部又はその周辺に位置する床小梁１７２に対して、桁方向に向けた床補強小梁３Ａを、床小梁１７２と妻側床梁１３との間に差し渡す。
さらに、１階の建物ユニット１Ｂの床部の一部を切断して開口部１７０Ａを形成した際に、桁方向に向けた床補強小梁２Ａ，２Ｂを、床小梁１７２と妻側床梁１３との間及び床小梁１７２，１７２間に差し渡す。
【選択図】図１【図１】
0004691201.tif 000002
【図２】
0004691201.tif 000003
【図３】
0004691201.tif 000004
【図４】
0004691201.tif 000005
【図５】
0004691201.tif 000006
【図６】
0004691201.tif 000007
【図７】
0004691201.tif 000008
【図８】
0004691201.tif 000009
【図９】
0004691201.tif 000010
【図１０】
0004691201.tif 000011
【図１１】
0004691201.tif 000012
【図１２】
0004691201.tif 000013
【図１３】
0004691201.tif 000014
【図１４】
0004691201.tif 000015
【図１５】
0004691201.tif 000016
【図１６】
0004691201.tif 000017
【図１７】
0004691201.tif 000018
【図１８】
0004691201.tif 000019
【図１９】
0004691201.tif 000020